(57)【要約】【課題】  モードダイヤルをロックするロック機構をモード表示用のインジケータと兼用できて別部材を必要とせず、部品点数を少なくでき、ポケットなどに入れた際のモードダイヤルの誤動作を防ぐことができる。【解決手段】  ポータブル機器のモードダイヤル２をＯＦＦの状態でロックするもので、モードダイヤルのＯＦＦの位置の外周から内部に向けてロック用溝４が形成され、モードダイヤルの回転位置を指すインジケータ３がモードダイヤル側に向けてスライド自在に配置され、モードダイヤルのＯＦＦの位置のロック用溝にインジケータの先端が入り込んでモードダイヤルをＯＦＦの状態にロックし、インジケータの下部に突出部３ａが設けられ、インジケータの突出部とモードダイヤルが配置されたポータブル機器の基部の段部１ａの側端面との間にインジケータをモードダイヤル側に付勢する引っ張りばね６が配置される。【選択図】  図１
2008170494.tif 000002
【特許請求の範囲】
【請求項１】
ポータブル機器のモードダイヤルをＯＦＦの状態でロックするようにしたモードダイヤルのロック構造において、前記モードダイヤルのＯＦＦの位置の外周から内部に向けてロック用溝が形成され、前記モードダイヤルの回転位置を指すインジケータが前記モードダイヤル側に向けてスライド自在に配置され、前記モードダイヤルのＯＦＦの位置の前記ロック用溝に前記インジケータの先端がスライドによって入り込んで前記モードダイヤルをＯＦＦの状態にロックするように構成され、前記インジケータの下部に突出部が設けられ、このインジケータの突出部と前記モードダイヤルが配置された前記ポータブル機器の基部に設けられた段部の側端面との間に、前記インジケータを前記モードダイヤル側に向けてスライドするように付勢する引っ張りばねが配置されていることを特徴とするモードダイヤルのロック構造。
【請求項２】
ポータブル機器のモードダイヤルをＯＦＦの状態でロックするようにしたモードダイヤルのロック構造において、前記モードダイヤルのＯＦＦの位置の外周から内部に向けてロック用溝が形成され、前記モードダイヤルの回転位置を指すインジケータが前記モードダイヤル側に向けてスライド自在に配置され、前記モードダイヤルのＯＦＦの位置の前記ロック用溝に前記インジケータの先端がスライドによって入り込んで前記モードダイヤルをＯＦＦの状態にロックするように構成されていることを特徴とするモードダイヤルのロック構造。
【請求項３】
前記ポータブル機器の表面に設けられて前記インジケータがスライド自在に配設されたスライド溝の端面と前記インジケータの基端部との間に前記インジケータを前記モードダイヤル側に向けてスライドするように付勢するための圧縮ばねが配置されている請求項２に記載のモードダイヤルのロック構造。
【発明の詳細な説明】
【技術分野】
【０００１】
本発明は、ポータブル機器のモードダイヤルをＯＦＦの状態でロックするようにしたモードダイヤルのロック構造に関するものである。
【背景技術】
【０００２】
従来の携帯用の小型テレビ等のポータブル機器におけるモードダイヤルは、ポータブル機器をポケットなどに入れた場合に、モードダイヤルが回転して勝手に動作することがあるという問題があった。しかも、ポータブル機器のモードダイヤルをＯＦＦの位置に固定するためにロック機構を設けている場合は、モードダイヤルの他にロック用のボタンなどの別部材を配置する必要があり、部品点数が多くなるという問題があった。また、モードダイヤルの近傍にモードダイヤルのモード表示用のインジケータを設けたものでは、このインジケータは、モードダイヤルのモード位置を指す機能を有しているだけであった。
【０００３】
第１の従来技術を図３、図４に示す。この従来の操作スイッチは、図３、図４に示すように、背面カバー１１１に対して回動可能に設置されたモードダイヤル１０７を有し、モードダイヤル１０７を所定の角度位置で停止させることにより角度位置に対応した撮影モードに切り換える操作スイッチを備えたビデオカメラであって、特定の角度位置におけるモードダイヤル１０７の回動を禁止するようにアンロックツマミ１０９が設けられ、アンロックツマミ１０９を、モードダイヤル１０７が回動する方向の法線方向へ移動させることにより、モードダイヤル１０７の回動の禁止を解除する。また、モードダイヤル１０７のポジションをロックするためには、ポジションロックツマミ１０６によって行なっていた。
（例えば、特許文献１参照）。
【０００４】
ところが、これにおいては、アンロックツマミ１０９とポジションロックツマミ１０６の別部材を必要していたために、部品点数が多くなるという問題があった。
【０００５】
第２の従来技術を図５、図６、図７に示す。この従来のカメラの情報設定装置は、図５、図６、図７に示すように、カメラモードを選択するための円形状のモードダイヤル２１１を内側に、選択されたカメラモードにおけるコマンドを選択するためのリング形状の電子ダイヤル２２０を外側になるように同軸で配置する。モードダイヤル２１１の上面に配置した回転操作部にモードロックボタン２１０を設ける。モードロックボタン２１０を押すことによりモードダイヤル２１１のロック状態が解除されて回転可能となる。モードロックボタン２１０の押圧を解除することにより、モードロックボタン２１０は復元力により元の位置に戻りモードダイヤル２１１がロック状態になる。（例えば、特許文献２参照）。
【０００６】
ところが、これにおいては、モードロックボタン２１０という別部材を必要とするために、部品点数が多くなるという問題があった。
【特許文献１】特開２０００−１９５３６１号公報
【特許文献２】特開２００３−８７６２２号公報
【発明の開示】
【発明が解決しようとする課題】
【０００７】
本発明は、上記従来の問題に鑑みてなされたものであって、モードダイヤルをロックするロック機構をモード表示用のインジケータと兼用させることができて別部材を必要とせず、部品点数を少なくすることができ、更に、ポケットなどに入れた際のモードダイヤルの誤動作を防ぐことができるモードダイヤルのロック構造を提供することを目的としている。
【課題を解決するための手段】
【０００８】
本発明は、上記課題を解決するために提案されたものであって、請求項１に記載の発明は、ポータブル機器のモードダイヤルをＯＦＦの状態でロックするようにしたモードダイヤルのロック構造において、前記モードダイヤルのＯＦＦの位置の外周から内部に向けてロック用溝が形成され、前記モードダイヤルの回転位置を指すインジケータが前記モードダイヤル側に向けてスライド自在に配置され、前記モードダイヤルのＯＦＦの位置の前記ロック用溝に前記インジケータの先端がスライドによって入り込んで前記モードダイヤルをＯＦＦの状態にロックするように構成され、前記インジケータの下部に突出部が設けられ、このインジケータの突出部と前記モードダイヤルが配置された前記ポータブル機器の基部に設けられた段部の側端面との間に、前記インジケータを前記モードダイヤル側に向けてスライドするように付勢する引っ張りばねが配置されていることを特徴としている。
【０００９】
請求項２に記載の発明は、ポータブル機器のモードダイヤルをＯＦＦの状態でロックするようにしたモードダイヤルのロック構造において、前記モードダイヤルのＯＦＦの位置の外周から内部に向けてロック用溝が形成され、前記モードダイヤルの回転位置を指すインジケータが前記モードダイヤル側に向けてスライド自在に配置され、前記モードダイヤルのＯＦＦの位置の前記ロック用溝に前記インジケータの先端がスライドによって入り込んで前記モードダイヤルをＯＦＦの状態にロックするように構成されていることを特徴としている。
【００１０】
請求項３に記載の発明は、請求項２に記載の発明において、前記ポータブル機器の表面に設けられて前記インジケータがスライド自在に配設されたスライド溝の端面と前記インジケータの基端部との間に前記インジケータを前記モードダイヤル側に向けてスライドするように付勢するための圧縮ばねが配置されている。
【発明の効果】
【００１１】
請求項１に記載の発明によれば、モードダイヤルをＯＦＦの位置に固定するために、従来から設けられていたモード表示用のインジケータをスライドしてこのインジケータの先端がモードダイヤルのＯＦＦの位置に形成されたロック用溝に入り込んでモードダイヤルをロックするように構成したから、モード表示用のインジケータを兼用させることができて別部材を必要とせず、部品点数を少なくすることができる。また、インジケータの先端でモードダイヤルをＯＦＦの位置にロックできるから、ポータブル機器をポケットなどに入れた際の誤動作を防ぐことができる。更に、インジケータに設けられた突出部とモードダイヤルが配置されたポータブル機器の基部に設けられた段部の側端面との間に、インジケータをモードダイヤル側に向けてスライドするように付勢する引っ張りばねを配置したから、モードダイヤルのＯＦＦの位置に設けられたロック用溝にインジケータの先端を自動的に入れてモードダイヤルをＯＦＦの位置に自動的にロックすることができる。
【００１２】
請求項２に記載の発明によれば、モードダイヤルをＯＦＦの位置に固定するために、従来から設けられていたモード表示用のインジケータをスライドしてこのインジケータの先端がモードダイヤルのＯＦＦの位置に形成されたロック用溝に入り込んでモードダイヤルをロックするように構成したから、モード表示用のインジケータを兼用させることができて別部材を必要とせず、部品点数を少なくすることができる。また、インジケータの先端でモードダイヤルをＯＦＦの位置にロックできるから、ポータブル機器をポケットなどに入れた際の誤動作を防ぐことができる。
【００１３】
請求項３に記載の発明によれば、ポータブル機器の表面に設けられたスライド溝の端面とインジケータの基端部との間に圧縮ばねを配置したから、この圧縮ばねの付勢力によってモードダイヤルのＯＦＦの位置に設けられたロック用溝にインジケータの先端を自動的に入り込むことができて、モードダイヤルをＯＦＦの位置に自動的にロックすることができる。
【発明を実施するための最良の形態】
【００１４】
以下、本発明に係るモードダイヤルのロック構造の実施の携帯について、図を参照しつつ説明する。尚、実施形態ではポータブル機器として携帯用の小型テレビについて説明するが、本発明のモードダイヤルのロック構造はこれに限らず、携帯電話などの他のポータブル機器にも適用できるものである。
【００１５】
図１は本発明の第１実施形態のモードダイヤルのロック機構を示し、（ａ）はモードダイヤルのロック構造を備えた携帯用の小型テレビの斜視図、（ｂ）はモードダイヤルをＯＦＦの位置にロックする前の状態の平面図、（ｃ）はモードダイヤルをＯＦＦの位置にロックした状態の平面図、（ｄ）は要部の部分断面図である。
【００１６】
この第１実施形態のモードダイヤルのロック構造は、図１に示すように、携帯用の小型テレビ１の上面に配置され、モードダイヤル２とモード表示用のインジケータ３が設けられている。モードダイヤル２には、図１（ｂ）（ｃ）にも示すように、ＯＦＦの位置に外周から内部に向けてロック用溝４が形成されている。また、インジケータ３は、小型テレビ１の上面に形成されたスライド溝５内にスライド自在に配置されている。インジケータ３には、図１（ｄ）に示すように、下部に突出部３ａが設けられ、小型テレビ１の基部に設けられた段部１ａの側端面とインジケータ３の突出部３ａとの間に、インジケータ３をモードダイヤル２側に向けてスライドするように付勢する引っ張りばね６が配置されている。この引っ張りばね６の付勢力によって、インジケータ３は、図１（ｂ）（ｃ）に示すように、モードダイヤル２側に向けてスライド溝５をスライドしてモードダイヤル２のロック用溝４内にその先端が入り込んでモードダイヤル２をＯＦＦの位置にロックするようになっている。また、インジケータ３を引っ張りばね６の付勢力に抗して反対側にスライドすることにより、インジケータ３の先端をモードダイヤル２のロック用溝４から離脱させることにより、モードダイヤル２を回転自由な状態にすることができる。
【００１７】
従って、この第１実施形態によれば、モードダイヤル２をＯＦＦの位置に固定するために、従来から設けられていたモード表示用のインジケータ３をスライド溝５に沿ってスライドしてこのインジケータ３の先端がモードダイヤル２のＯＦＦの位置に形成されたロック用溝４に入り込んでモードダイヤル２をロックするように構成したから、モード表示用のインジケータ３を兼用させることができて別部材を必要とせず、部品点数を少なくすることができる。また、インジケータ３の先端でモードダイヤル２をＯＦＦの位置にロックできるから、携帯用の小型テレビ１をポケットなどに入れた際の誤動作を防ぐことができる。更に、インジケータ３に設けられた突出部３ａとモードダイヤル２が配置された携帯用の小型テレビ１の基部に設けられた段部１ａの側端面との間に、インジケータ３をモードダイヤル２側に向けてスライドするように付勢する引っ張りばね６を配置したから、モードダイヤル２のＯＦＦの位置に設けられたロック用溝４にインジケータ３の先端を自動的に入れてモードダイヤル２をＯＦＦの位置に自動的にロックすることができる。
【００１８】
図２は第２実施形態のモードダイヤルのロック構造を示し、（ａ）はモードダイヤルをＯＦＦの位置にロックする前の状態の平面図、（ｂ）はモードダイヤルをＯＦＦの位置にロックした状態の平面図である。
【００１９】
この第２実施形態のモードダイヤルのロック構造は、図２（ａ）（ｂ）に示すように、携帯用の小型テレビ１の表面にスライド溝７が形成され、このスライド溝７にインジケータ３がスライド自在に配置されている。更に、モードダイヤル２には、そのＯＦＦの位置にロック用溝４が形成されており、スライド溝７の端面とインジケータ３の基端部との間に、インジケータ３をモードダイヤル２側に向けてスライドするように付勢するための圧縮ばね８が配置されている。インジケータ３は圧縮ばね８の付勢力でモードダイヤル２のＯＦＦの位置に設けられたロック用溝４に入り込んでモードダイヤル２の回転をロックするようになっている。また、インジケータ３を圧縮ばね８の付勢力に抗して反対側にスライドさせると、インジケータ３の先端をモードダイヤル２のロック用溝４から離脱させると、モードダイヤル２を回転自由な状態にすることができる。
【００２０】
従って、この第２実施形態によれば、携帯用の小型テレビ１の表面に設けられたスライド溝７の端面とインジケータ３の基端部との間に圧縮ばね８を配置したから、この圧縮ばね８の付勢力によってモードダイヤルのＯＦＦの位置に設けられたロック用溝４にインジケータ３の先端を自動的に入り込むことができて、モードダイヤル２をＯＦＦの位置に自動的にロックすることができる。
【図面の簡単な説明】
【００２１】
【図１】本発明の第１実施形態のモードダイヤルのロック機構を示し、（ａ）はモードダイヤルのロック構造を備えた携帯用の小型テレビの斜視図、（ｂ）はモードダイヤルをＯＦＦの位置にロックする前の状態の平面図、（ｃ）はモードダイヤルをＯＦＦの位置にロックした状態の平面図、（ｄ）は要部の部分断面図である。
【図２】第２実施形態のモードダイヤルのロック構造を示し、（ａ）はモードダイヤルをＯＦＦの位置にロックする前の状態の平面図、（ｂ）はモードダイヤルをＯＦＦの位置にロックした状態の平面図である。
【図３】従来の操作スイッチを備えた撮像装置の斜視図である。
【図４】従来の操作スイッチの周辺を示す正面図である。
【図５】従来の情報設定装置を設けたカメラの背面外観図である。
【図６】従来のカメラの情報設定装置におけるモードダイヤルの外観を示す正面図である。
【図７】従来のカメラの情報設定装置の下方向からの分解斜視図である。
【符号の説明】
【００２２】
１        携帯用の小型テレビ
１ａ      段部
２        モードダイヤル
３        インジケータ
３ａ      突出部
４        ロック用溝
５        スライド溝
６        引っ張りばね
７        スライド溝
８        圧縮ばね
【図１】
2008170494.tif 000003
【図２】
2008170494.tif 000004
【図３】
2008170494.tif 000005
【図４】
2008170494.tif 000006
【図５】
2008170494.tif 000007
【図６】
2008170494.tif 000008
【図７】
2008170494.tif 000009